【誤訳訂正書】
【提出日】平成23年12月5日(2011.12.5)
【誤訳訂正１】
【訂正対象書類名】特許請求の範囲
【訂正対象項目名】全文
【訂正方法】変更
【訂正の内容】
【特許請求の範囲】
【請求項１】
ディスプレイパネル・ドライバのための制御信号を発生する方法であって、必要とされる一組の制御信号セットを出力するために、一組の入力信号セットにおける所定数の入力信号を受信する必要があるディスプレイパネル・ドライバ用の、ディスプレイパネル・ドライバで実行される該ディスプレイパネル・ドライバ制御信号発生方法において、
制御信号を初期状態に戻すためのリセットプロセスを開始するステップと、
ディスプレイパネル・ドライバの複数個の入力端子から前記入力信号セットの基本的な入力信号を受信するステップと、
前記入力端子のうち１個を、イネーブル入力信号を入力するため、入力信号の特性に従って異なる定義にした２つの信号を入力することができる二次入力端子として使用して、このイネーブル入力信号は、制御信号発生器が前記入力信号セットの内部信号を発生することを可能にし、この入力信号セットの内部信号および前記入力信号セットの基本的な入力信号が前記一組の入力信号セットを形成するものとした、該イネーブル入力信号入力ステップと、および
前記入力信号のシリアルデータが予め定義した特定データを満たさないときは、前記リセットプロセスに戻るステップと
を有することを特徴とする方法。
【請求項２】
請求項１に記載のディスプレイパネル・ドライバ制御信号発生方法において、前記二次入力端子は、極性信号入力端子またはラッチ信号入力端子とした方法。
【請求項３】
請求項１に記載のディスプレイパネル・ドライバ制御信号発生方法において、前記二次入力端子は、予め定義した特定データシリーズを伝送するためのＸＯＮ信号入力端子または前記制御信号発生器に内部クロック信号を供給するためのＸＯＥ信号入力端子とした方法。
【請求項４】
請求項１に記載のディスプレイパネル・ドライバ制御信号発生方法において、前記入力信号セットの第２部分を発生する前記制御信号発生器は、前記イネーブル入力信号を識別した後、有効になる方法。
【請求項５】
請求項１に記載のディスプレイパネル・ドライバ制御信号発生方法において、前記入力信号セットの内部信号は、二次入力端子に対応するよう定義した複数個の内部信号を有するものとした方法。
【請求項６】
請求項１に記載のディスプレイパネル・ドライバ制御信号発生方法において、ディスプレイパネル・ドライバの入力端子の個数を、前記所定入力信号の個数より少ないものとした方法。
【請求項７】
制御信号発生器において、
少なくとも１個の第１入力端子、および１個の第２入力端子と、
前記第１入力端子および第２入力端子から多くの入力信号を受け取り、また第１信号および第２信号を出力するシフトレジスタと、
前記第２入力端子からの入力信号と、前記シフトレジスタからの第１信号を受信し、識別信号を出力するシリアルデータ・チェックコントローラと、および
前記シフトレジスタからの第２信号および識別信号を受信して、前記第１入力端子および第２入力端子の入力信号に基づいて予め定義した一組の制御信号セットを発生する制御
信号発生ユニットと
を備えたことを特徴とする制御信号発生器。
【請求項８】
請求項７に記載の制御信号発生器において、さらに、前記制御信号発生器を初期状態に戻すのに使用するリセットユニットを備えた制御信号発生器。
【請求項９】
請求項７に記載の制御信号発生器において、前記第１入力端子および第２入力端子は、基本的な入力信号またはイネーブル入力信号を受信し、また前記イネーブル入力信号により、前記制御信号セットを発生するものとした制御信号発生器。
【請求項１０】
請求項７に記載の制御信号発生器において、前記制御信号セットは、基本的な入力信号に対応する第１信号セット、および第２の信号セットを有するものとした制御信号発生器。
【請求項１１】
ディスプレイパネル・ドライバの制御信号発生装置であって、必要とされる一組の制御信号セットを出力するために、一組の入力信号セットにおける所定数の入力信号を受信する必要があるディスプレイパネル・ドライバ用の、該制御信号発生装置において、
複数個の入力端子から前記入力信号セットの基本的な入力信号を受信する主回路ユニットと、
第１二次入力端子として設定した、前記入力端子のうちの１個であって、イネーブル入力信号をさらに入力させることができる該入力端子と、および
前記イネーブル入力信号を受信して前記入力信号セットの内部信号を発生し、前記入力信号セットの基本的な入力信号と共に前記一組の入力信号セットを形成して、また前記制御信号セットを出力する、制御信号発生器と、
を備え、前記入力信号のシリアルデータが所定フォーマットを完全に満たさないとき、制御信号を初期状態に戻すためのリセットプロセスを有効にすることを特徴とする制御信号発生装置。
【請求項１２】
請求項１１に記載のディスプレイパネル・ドライバの制御信号発生装置において、前記制御信号発生器は、
それぞれ第１二次入力信号および第２二次入力信号に使用する、少なくとも１個の第１入力端子、および１個の第２入力端子と、
前記第１入力端子および第２入力端子における複数個の入力信号を受信して、第１信号および第２信号を出力するシフトレジスタと、
前記第２入力端子からの前記入力信号、および前記シフトレジスタからの前記第１信号を受信し、識別信号を出力するシリアルデータ・チェックコントローラと、および
前記シフトレジスタからの前記第２信号および前記識別信号を受信し、また前記第１入力端子および第２入力端子の前記入力信号に従って所定の一組の制御信号セットを発生する制御信号発生ユニットと
を有する構成とした制御信号発生装置。
【請求項１３】
請求項１１に記載のディスプレイパネル・ドライバの制御信号発生装置において、さらに、前記制御信号発生器を初期状態に戻すために使用するリセットユニットを備えた制御信号発生装置。
【請求項１４】
請求項１２に記載のディスプレイパネル・ドライバの制御信号発生装置において、前記第１入力端子および第２入力端子は、基本的な入力信号、またはイネーブル入力信号を受信し、イネーブル入力信号は、前記一組の制御信号セットを発生するものとした制御信号発生装置。
【請求項１５】
請求項１４に記載のディスプレイパネル・ドライバの制御信号発生装置において、前記一組の制御信号セットは、前記基本的な入力信号に対応する第１信号セット、および第２信号セットを有するものとした制御信号発生装置。
【請求項１６】
請求項１１に記載のディスプレイパネル・ドライバの制御信号発生装置において、前記制御信号発生器を、前記主回路装置のソース・ドライバに組み込んだ制御信号発生装置。
【請求項１７】
請求項１１に記載のディスプレイパネル・ドライバの制御信号発生装置において、前記制御信号発生器を、前記主回路装置のゲート・ドライバに組み込んだ制御信号発生装置。
【請求項１８】
ディスプレイパネル・ドライバが一組の制御信号セットを出力するために一組の入力信号セットを受信することを必要とする、ディスプレイパネル駆動系の制御信号を発生する方法において、
前記ディスプレイパネル・ドライバの複数個の入力端子によって前記一組の入力信号セットを受信するステップと、
前記入力端子のうち第１端子により受信した第１信号をプリセット信号と比較するステップと、
前記第１信号を前記プリセット信号と比較して適正状態であったときに、前記入力端子の第１端子から第２信号を受け取るステップと、および
前記第２信号に基づいて複数個の第１制御信号を発生するステップであって、これら第１制御信号は、前記入力信号セットのサブセットとした、該第１制御信号発生ステップとを有することを特徴とする方法。
【請求項１９】
請求項１８に記載の方法において、さらに、前記入力端子のうち第２端子が受信したクロック信号を受信するステップを有し、前記クロック信号を使用して前記第１信号を読み込むものとした方法。
【請求項２０】
請求項１９に記載の方法において、前記第１信号およびクロック信号を、極性信号およびラッチ信号として再定義する方法。
【請求項２１】
請求項１９に記載の方法において、前記第１信号およびクロック信号を、予め定義した特定データシリーズを伝送するためのＸＯＮ信号および制御信号発生器に内部クロック信号を供給するためのＸＯＥ信号として再定義する方法。
【請求項２２】
請求項１８に記載の方法において、前記ディスプレイパネル・ドライバをソース・ドライバとした方法。
【請求項２３】
請求項１８に記載の方法において、前記第１信号を極性信号とした方法。
【請求項２４】
請求項１８に記載の方法において、前記第１信号をラッチ信号とした方法。
【請求項２５】
請求項１８に記載の方法において、前記ディスプレイパネル・ドライバをゲート・ドライバとした方法。
【請求項２６】
請求項１８に記載の方法において、前記第１信号を予め定義した特定データシリーズを伝送するためのＸＯＮ信号とした方法。
【請求項２７】
請求項１８に記載の方法において、前記第１信号を制御信号発生器に内部クロック信号を供給するためのＸＯＥ信号とした方法。
【請求項２８】
請求項１８に記載の方法において、前記ディスプレイパネル・ドライバをタイミング制御ドライバとした方法。
【請求項２９】
ディスプレイパネル・ドライバが一組の制御信号セットを出力するために一組の入力信号セットを受信することを必要とする、ディスプレイパネル駆動系の制御信号を発生する信号発生装置において、
‐  ディスプレイパネル・ドライバの複数個の入力端子によって前記一組の入力信号セットを受信する主回路ユニットと、
‐  前記入力端子のうち第１端子により受信した第１信号をプリセット信号と比較する制御信号発生器であって、前記第１信号を前記プリセット信号と比較して適正結果を得た後に、前記第１端子から第２信号を受け取り、この第２信号に基づいて、複数個の第１制御信号を発生し、これら第１制御信号は前記入力信号セットのサブセットとした該制御信号発生器と
を備えたことを特徴とする信号発生装置。
【請求項３０】
請求項２９に記載の信号発生装置において、前記制御信号発生器は、
それぞれ前記入力端子の前記第１端子および第２端子に接続した、第１入力端部および第２入力端部と、
前記第１入力端部および第２入力端部から多くの入力信号を受け取って、第３信号および第４信号を出力するシフトレジスタと、
前記第２入力端部からの入力信号およびシフトレジスタからの前記第３信号を受信し、識別信号を出力するシリアルデータ・チェックコントローラと、および
前記シフトレジスタから前記第４信号および識別信号を受信し、前記第１入力端部および第２入力端部の入力信号に基づいて所定の予め定義した一組の制御信号セットを発生する制御信号発生ユニットと
を有する構成とした信号発生装置。
【請求項３１】
請求項２９に記載の信号発生装置において、前記第２端子は、クロック信号を受信するものとした信号発生装置。
【請求項３２】
請求項２９に記載の信号発生装置において、さらに、前記制御信号発生ユニットを初期状態に戻すリセットユニットを備えた信号発生装置。
【請求項３３】
請求項２９に記載の信号発生装置において、前記クロック信号を前記入力端子の第２端子から受信し、また前記第１信号を前記クロック信号に従って読出す信号発生装置。
【請求項３４】
請求項２９に記載の信号発生装置において、前記信号発生装置をソース・ドライバとした信号発生装置。
【請求項３５】
請求項２９に記載の信号発生装置において、前記第１信号を極性信号とした信号発生装置。
【請求項３６】
請求項２９に記載の信号発生装置において、前記第１信号をラッチ信号とした信号発生装置。
【請求項３７】
請求項２９に記載の信号発生装置において、前記第１信号およびクロック信号を、極性信号およびラッチ信号とした信号発生装置。
【請求項３８】
請求項２９に記載の信号発生装置において、前記信号発生装置をゲート・ドライバとした信号発生装置。
【請求項３９】
請求項２９に記載の信号発生装置において、前記第１信号を予め定義した特定データシリーズを伝送するためのＸＯＮ信号とした信号発生装置。
【請求項４０】
請求項２９に記載の信号発生装置において、前記第１信号を前記制御信号発生器に内部クロック信号を供給するためのＸＯＥ信号とした信号発生装置。
【請求項４１】
請求項３３に記載の信号発生装置において、前記第１信号およびクロック信号を予め定義した特定データシリーズを伝送するためのＸＯＮ信号および前記制御信号発生器に内部クロック信号を供給するためのＸＯＥ信号とした信号発生装置。
【請求項４２】
請求項２９に記載の信号発生装置において、前記信号発生装置をタイミング制御ドライバとした信号発生装置。
【誤訳訂正２】
【訂正対象書類名】明細書
【訂正対象項目名】００１０
【訂正方法】変更
【訂正の内容】
【００１０】
本発明の一実施形態によれば、ディスプレイパネル装置のための制御信号を発生させる方法を提供する。ディスプレイパネル・ドライバは、一組の制御信号セットを出力するために、所定数の一組の入力信号セットを受信することを必要とする。この方法は、制御信号を初期状態に戻すためのリセットプロセスから始動するステップを有する。ディスプレイパネル・ドライバは、多重の入力端子から入力信号セットの基本的な入力信号を受信する。入力端子のうちの少なくとも２個を二次入力端子として使用し、定義の異なる少なくとも２個のイネーブル入力信号をそれぞれ入力する。イネーブル入力信号は、制御信号発生器が入力信号セットの内部信号を発生することを内部的に可能にする。入力信号セットの内部信号および入力信号セットの基本的な入力信号が、一組の入力信号セットをなす。入力信号のシリアルデータが予め定義した特定データを満たすことができないとき、本発明方法は、リセットプロセスに戻る。
【誤訳訂正３】
【訂正対象書類名】明細書
【訂正対象項目名】００１７
【訂正方法】変更
【訂正の内容】
【００１７】
本発明はまた、制御信号発生装置を提供する。ディスプレイパネル・ドライバは、一組の制御信号セットを出力するために、一組の入力信号セットにおける所定数の入力信号を受信することを必要とする。制御信号発生装置は、複数個の入力端子から入力信号セットの基本的な入力信号を受信するための主制御ユニットを有する。入力端子のうちの少なくとも２個を二次入力端子として使用し、各二次入力端子は、定義の異なる少なくとも２個のイネーブル入力信号の入力を可能にする。制御信号発生器は、入力信号セットの内部信号を発生するために、イネーブル入力信号を受信する。入力信号セットの内部信号および入力信号セットの基本的な入力信号が、一組の入力信号セットを形成し、そして、一組の制御信号セットを出力する。入力信号のシリアルデータが予め定義した特定データを満たさないとき、この方法はリセットプロセスに戻る。
【誤訳訂正４】
【訂正対象書類名】明細書
【訂正対象項目名】００２８
【訂正方法】変更
【訂正の内容】
【００２８】
シフトレジスタ・ブロック５０６は、入力信号によって伝送されるデータを保存するために用いる。シリアルデータ・チェックコントローラ５０４は制御およびマッチング機構を有し、またコントローラ５０４が正しく、入力データをマッチングすることが実行できるよう、またマッチング結果がプリセット値に合致するかを決定するために、予め定義した特定データシリーズ情報を含む。マッチングにおいてエラーがある場合、入力制御命令は不正であるとみなす。制御信号出力がいかなる変化にも影響を受けない間は、制御機構はリセットした初期状態に戻って、次の入力データのマッチングを行うために待機する。マッチングが正しい場合、入力制御命令は正しいとみなされ、データレジスタが満杯になるまで、システムは設計に基づいて次の入力データの保存を実行する。データレジスタが満杯になる事は、データの入力が完了し、他の予め定義した特定データシリーズとのマッチングが実行されることを示す。データの長さおよびマッチング機構のマッチング数は、実際の設計によって決定される。制御マッチング機構が完全に満足のいくものであるとき、コントローラによって伝送される制御指令コードを検証する。その結果、指令を可能にする制御信号の入力およびマッチングが実行される。制御信号発生器ブロック５０８は、機能の要求事項に従って幾つかの機能的制御信号をあらかじめ定義する。各機能的制御信号は、独自のイネーブル指令コードを有する。有効な機能的制御信号のイネーブル指令コードが正しくマッチングされるときに、制御信号発生器ブロック５０８は対応する制御信号を出力する。
【誤訳訂正５】
【訂正対象書類名】明細書
【訂正対象項目名】００３０
【訂正方法】変更
【訂正の内容】
【００３０】
換言すれば、制御信号発生器は、一連の予め定義したデータシリーズによりその動作を制御する。一連のシリアルデータの入力およびマッチング作業の実行によって、動作中の制御信号発生器（ＣＳＧ）の信頼性は保証される。図示の実施例の説明において、制御機構は、正しく制御するため、また期待される制御信号出力を発生するために、Ｄ１，Ｄ２，Ｄ３およびＦｘ（Ｆ１〜Ｆｎ）を含む一連のデータシリーズを入力することが必要であると仮定する。ある機能的制御信号を出力した後、他の機能的制御信号の出力も、同じように制御することができる。一連の入力データが予め定義した特定データを完全に満たすことができないとき、制御機構はリセットした初期状態に戻る。制御信号出力はいかなる変化にも影響を受けない。図６のシステム制御動作において、制御機構が、３個のｍビット「制御指令コード」マッチング、および単一の「イネーブル指令コード」マッチングを実行すると仮定する。ｍビットが８−ビットデータレジスタを表し、そして、３個の制御指令コードは順にＥ６、５Ａ、およびＡ５であると仮定する。最後に、「イネーブル指令コード」はＢ１〜Ｂ５で表される５個のグループを有し、システム制御要件に基づいて、プリセットした機能的制御信号出力に対応すると仮定する。従って、データＥ６を入力して、正しいマッチングを実行した後に、制御マッチングに続いて５Ａデータの入力および他のマッチングが行う。正しいマッチングを実行した後に、データＡ５を入力し、他のマッチングを実行する。正しいマッチングを実行した後に、「イネーブル指令コード」Ｂ１〜Ｂ５のうち１個が入力され、どの機能的制御信号を出力するかを指定する。
【誤訳訂正６】
【訂正対象書類名】明細書
【訂正対象項目名】００３７
【訂正方法】変更
【訂正の内容】
【００３７】
前述の実施形態において、図４で示すように制御信号がプリセットされ、固定信号が出力されるならば、例えば、単に１組の制御信号イネーブル指令コードセットのみ制御に使用することができる。制御信号が、図８および１１に示すように、用途に従って信号出力を制御することができる場合、例えば、特定機能制御信号は、制御アプリケーションとして少なくとも２セットの制御信号イネーブル指令コードが必要となる。しかし、これは、同じ作動原理の下での一つの異なるバリエーションに過ぎない。